【手続補正書】
【提出日】平成19年11月13日(2007.11.13)
【手続補正１】
【補正対象書類名】特許請求の範囲
【補正対象項目名】全文
【補正方法】変更
【補正の内容】
【特許請求の範囲】
【請求項１】
受信機において信号からノイズを自動的に除去するための方法であって、
前記受信機のノイズ・モデル中の複数のノイズ要素のそれぞれについてノイズ値を求めるステップであって、前記ノイズ・モデルを構成する複数のコンポーネントの一部が、１つの領域としてグループ化され、前記ノイズ要素のそれぞれが１つの領域に関連づけられ、各領域内の前記コンポーネントのノイズ要因は前記受信機の利得状態とは無関係であり、各ノイズ値が、基準状態において、前記ノイズ・モデルの特定のポイントを基準として求められるステップと、
前記受信機について、前記ノイズ値及び現在の利得状態データを利用して、コンポジット入力換算ノイズ値を計算するステップと、
前記受信機において前記信号から前記コンポジット入力換算ノイズ値を減じるステップと、
を含むことを特徴とする方法。
【請求項２】
受信機のノイズ・モデルを生成するステップをさらに含み、前記ノイズ・モデルに、前記複数のノイズ要素が含まれることを特徴とする、請求項１に記載の方法。
【請求項３】
前記複数のノイズ要素中のノイズ要素数（Ｎ）が、方程式Ｎ＝（受信機における可変利得コンポーネントの数＋１）によって求められることを特徴とする、請求項２に記載の方法。
【請求項４】
各ノイズ要素のそれぞれについてノイズ値を求めるステップが、受信機の利得及びノイズに関してオフライン自己較正試験を実施するステップを含むことを特徴とする、請求項１に記載の方法。
【請求項５】
前記自己較正試験が、
前記受信機内における全ての可変利得コンポーネントを最大利得状態に設定するステップと、
前記ノイズを測定するステップと、
第１の可変利得コンポーネントを最小利得状態に設定するステップと、
前記ノイズを測定するステップと、
前記第１の可変利得コンポーネントに関連したノイズ要素のノイズ値を導き出すステップであって、前記ノイズ値が、基準状態において、前記受信機モデルのあるポイントを基準として導き出されるステップと、
次の可変利得コンポーネントを最小利得状態に設定し、最小利得状態に設定された前記可変利得コンポーネントに関連するノイズ要素のノイズ値を導き出すことを、前記可変利得コンポーネントの全てが最小利得状態に設定されるまで繰り返すステップと、
を含むことを特徴とする請求項４に記載の方法。
【請求項６】
前記のコンポジット入力換算ノイズ値を計算するステップが、
各ノイズ値が、前記受信機の入力を基準として導き出されたものであるか否かを判定するステップと、
あるノイズ値が、前記受信機の入力を基準として導き出されたものでない場合に、前記受信機に関する現在の利得状態を利用して前記ノイズ値を再計算し、それを前記受信機の入力換算の値として、入力換算ノイズ値を生成するステップと、
あるノイズ値が、前記受信機の入力を基準として導き出されたものである場合に、前記受信機に関する現在の利得状態を利用して前記ノイズ値を再計算して、入力換算ノイズ値を生成するステップと、
前記入力換算ノイズ値の全てを合計するステップと、
を含むことを特徴とする請求項１に記載の方法。
【請求項７】
受信機において信号からノイズを自動的に除去するための方法であって、
前記受信機のノイズ・モデルを複数のノイズ要素に分割するステップと、
前記ノイズ・モデル中のコンポーネントの一部を領域としてグループ化するステップであって、前記ノイズ要素のそれぞれが１つの領域に関連づけられ、各領域内の前記コンポーネントのノイズ要因は前記受信機の利得状態とは無関係であるステップと、
前記複数のノイズ要素におけるそれぞれのノイズ要素についてノイズ値を求めるステップであって、各ノイズ値が、基準状態において、前記ノイズ・モデルの特定のポイントを基準として求められるステップと、
前記受信機について、前記ノイズ値及び現在の利得状態データを利用して、コンポジット入力換算ノイズ値を計算するステップと、
前記信号から前記コンポジット入力換算ノイズ値を減じるステップと、
を含むことを特徴とする方法。
【請求項８】
受信機のノイズ・モデルを生成するステップをさらに含むことを特徴とする、請求項７に記載の方法。
【請求項９】
前記複数のノイズ要素中のノイズ要素数（Ｎ）が、方程式Ｎ＝（受信機における可変利得コンポーネントの数＋１）によって求められることを特徴とする、請求項７に記載の方法。
【請求項１０】
各ノイズ要素のそれぞれについてノイズ値を求めるステップが、受信機の利得及びノイズに関してオフライン自己較正試験を実施するステップを含むことを特徴とする、請求項７に記載の方法。
【請求項１１】
前記オフライン自己較正試験が、
前記受信機内における全ての可変利得コンポーネントを最大利得状態に設定するステップと、
前記ノイズを測定するステップと、
第１の可変利得コンポーネントを最小利得状態に設定するステップと、
前記ノイズを測定するステップと、
前記第１の可変利得コンポーネントに関連したノイズ要素のノイズ値を導き出すステップであって、前記ノイズ値が、基準状態において、前記受信機モデルのあるポイントを基準として導き出されるステップと、
次の可変利得コンポーネントを最小利得状態に設定するステップと、最小利得状態に設定された前記可変利得コンポーネントに関連するノイズ要素のノイズ値を導き出すステップとを、前記可変利得コンポーネントの全てが最小利得状態に設定されるまで繰り返すステップと、
を含むことを特徴とする請求項１０に記載の方法。
【請求項１２】
各ノイズ要素のそれぞれについて入力換算ノイズ値を計算するステップが、
各ノイズ値が、前記受信機の入力を基準として導き出されたものであるか否かを判定するステップと、
あるノイズ値が、前記受信機の入力を基準として導き出されたものでない場合に、前記受信機に関する現在の利得状態を利用して前記ノイズ値を再計算し、それを前記受信機の入力換算の値として、入力換算ノイズ値を生成するステップと、
あるノイズ値が、前記受信機の入力を基準として導き出されたものである場合に、前記受信機に関する現在の利得状態を利用して前記ノイズ値を再計算して、入力換算ノイズ値を生成するステップと、
前記入力換算ノイズ値の全てを合計するステップと、
を含むことを特徴とする請求項７に記載の方法。
【請求項１３】
受信機において信号からノイズを自動的に除去するための装置であって、
前記受信機のノイズ・モデル中の複数のノイズ要素のそれぞれについてノイズ値を求める手段であって、前記ノイズ・モデルを構成する複数のコンポーネントの一部が、１つの領域としてグループ化され、前記ノイズ要素のそれぞれが１つの領域に関連づけられ、各領域内の前記コンポーネントのノイズ要因は前記受信機の利得状態とは無関係であり、各ノイズ値が、基準状態において、前記ノイズ・モデルの特定のポイントを基準として求められる手段と、  
前記受信機について、前記ノイズ値及び現在の利得状態データを利用して、コンポジット入力換算ノイズ値を計算する手段と、
前記受信機において前記信号から前記コンポジット入力換算ノイズ値を減じる手段と、
を備えることを特徴とする装置。
【請求項１４】
前記複数のノイズ要素中のノイズ要素数（Ｎ）が、方程式Ｎ＝（受信機における可変利得コンポーネントの数＋１）によって求められることを特徴とする、請求項１３に記載の装置。
【請求項１５】
各ノイズ要素のそれぞれについてノイズ値を求める前記手段が、
前記受信機内における全ての可変利得コンポーネントを最大利得状態に設定する手段と、
前記ノイズを測定する手段と、
第１の可変利得コンポーネントを最小利得状態に設定する手段と、
前記ノイズを測定する手段と、
前記第１の可変利得コンポーネントに関連したノイズ要素のノイズ値を導き出す手段であって、前記ノイズ値が、基準状態において、前記受信機モデルのあるポイントを基準として導き出される手段と、
次の可変利得コンポーネントを最小利得状態に設定し、最小利得状態に設定された前記可変利得コンポーネントに関連するノイズ要素のノイズ値を導き出すことを、前記可変利得コンポーネントの全てが最小利得状態に設定されるまで繰り返す手段と、
を備えることを特徴とする請求項１３に記載の装置。
【請求項１６】
各ノイズ要素のそれぞれについて入力換算ノイズ値を計算する前記手段が、
各ノイズ値が、前記受信機の入力を基準として導き出されたものであるか否かを判定する手段と、
あるノイズ値が、前記受信機の入力を基準として導き出されたものでない場合に、前記受信機に関する現在の利得状態を利用して前記ノイズ値を再計算し、それを前記受信機の入力換算の値として、入力換算ノイズ値を生成する手段と、
あるノイズ値が、前記受信機の入力を基準として導き出されたものである場合に、前記受信機に関する現在の利得状態を利用して前記ノイズ値を再計算して、入力換算ノイズ値を生成する手段と、
前記入力換算ノイズ値の全てを合計する手段と、
を備えることを特徴とする請求項１３に記載の装置。